(57)【要約】【課題】フィルムを高速で巻き取ることが可能な、フィルム用巻取り装置において、フィルムの繋ぎ部分が巻き取られる場合においても、タッチローラーが、浮いたり、弾かれたりすることのない、フィルム用巻取り装置の提供を課題とする。【解決手段】フィルム用巻取り装置において、フィルム用巻取り装置は、巻芯にフィルムを巻き取ってフィルムロールを形成する巻取り部と、フィルムロール表面を押圧するタッチローラー部とから構成され、タッチローラー部は、タッチローラーに接続して押圧を与える機構と、タッチローラーの巻取り外側への変位に対して、その衝撃を吸収し、振動を減衰させるサスペンション機構とを備えてなることを特徴とする、フィルム用巻取り装置である。【選択図】図１
2020029341.tif 000002
【特許請求の範囲】
【請求項１】
フィルム用巻取り装置において、
該フィルム用巻取り装置は、巻芯にフィルムを巻き取ってフィルムロールを形成する巻取り部と、フィルムロール表面を押圧するタッチローラー部とから構成され、
該タッチローラー部は、タッチローラーに接続して押圧を与える機構と、タッチローラーの巻取り外側への変位に対して、その衝撃を吸収し、振動を減衰させるサスペンション機構とを備えてなることを特徴とする、フィルム用巻取り装置。
【請求項２】
前記押圧を与える機構は、エアシリンダーと、それに接続するタッチローラー支持アームであることを特徴とする、請求項１に記載のフィルム用巻取り装置。
【請求項３】
前記サスペンション機構は、振動の減衰を電気信号によって制御可能であることを特徴とする、請求項１または請求項２に記載のフィルム用巻取り装置。
【請求項４】
前記サスペンション機構は、前記電気信号のデータを記録することが可能である装置を備えることを特徴とする、請求項３に記載のフィルム用巻取り装置。
【請求項５】
前記サスペンション機構の、振動の減衰の制御は、記録された電気信号のデータに基づくものであることを特徴とする、請求項３または請求項４に記載のフィルム用巻取り装置。
【発明の詳細な説明】
【技術分野】
【０００１】
本発明はフィルム巻き取り用タッチローラーに関するものである。特に長尺のフィルムにおいて繋ぎ目が巻き取られる際にも、安定して巻き取ることができることに有効な、フィルム用巻取り装置関するものである。
【背景技術】
【０００２】
長尺のフィルムの多くは、生フィルムの生産時から、各種の加工工程を経て、所望の製品、半製品へと姿を変えるが、ロールツーロールの加工工程をとることが多い。たとえば印刷や、コーティング、ラミネート、真空蒸着、スリットなどがこれに当る。これはロールツーロールの加工方法が、生産性に優れ、巻取りの状態であることが取り扱いが容易で省スペースであることの利点によるものである。
【０００３】
しかしながら、たとえば加工速度を上げた場合には、フィルムとフィルムの間に空気を巻き込む場合があって、これが原因となってフィルムが蛇行して巻き取られるおそれがある。
【０００４】
そのため、巻取りロールの表面にタッチローラを接触させて、空気を搾り出すことが一般に行なわれている。しかしながら、加工中のフィルムはいくつかの加工工程を経て、たとえば不良発生に伴ってその部分を削除した結果、繋ぎ部分を含んで巻き取られることがある。
【０００５】
この場合には、フィルムの繋ぎ部分においてフィルムの重なりや、粘着テープなどによって厚さが厚い部分となって巻き取られるために、その段差によってタッチローラーは浮いたり、弾かれたりするおそれがある。その結果フィルムが蛇行して巻き取られるおそれがあって、とくに高速の加工を行なう場合には、一層顕著である。
【０００６】
特許文献には、これに関連する技術として、巻き取りフィルム用のタッチロール動作異常検出装置の提案がなされているが、これはタッチロールの動作異常を検出することを目的としたものであって、繋ぎによって、タッチローラーが浮いたり、弾かれたりして発生するフィルムの蛇行などの、異常そのものを防止するものではなかった。
【先行技術文献】
【特許文献】
【０００７】
【特許文献１】特開平１１−３４９１９３号公報
【発明の概要】
【発明が解決しようとする課題】
【０００８】
本発明はかかる状況に鑑みてなされたものであり、フィルムを高速で巻き取ることが可能な、フィルム用巻取り装置において、フィルムの繋ぎ部分が巻き取られる場合においても、タッチローラーが、浮いたり、弾かれたりすることのない、フィルム用巻取り装置を提供しようとするものである。
【課題を解決するための手段】
【０００９】
上記の課題を解決するための手段として、請求項１に記載の発明は、
フィルム用巻取り装置において、
該フィルム用巻取り装置は、巻芯にフィルムを巻き取ってフィルムロールを形成する巻取り部と、フィルムロール表面を押圧するタッチローラー部とから構成され、
該タッチローラー部は、タッチローラーに接続して押圧を与える機構と、タッチローラーの巻取り外側への変位に対して、その衝撃を吸収し、振動を減衰させるサスペンション機構とを備えてなることを特徴とする、フィルム用巻取り装置である。
【００１０】
また、請求項２に記載の発明は、
前記押圧を与える機構は、エアシリンダーと、それに接続するタッチローラー支持アームであることを特徴とする、請求項１に記載のフィルム用巻取り装置である。
【００１１】
また、請求項３に記載の発明は、
前記サスペンション機構は、振動の減衰を電気信号によって制御可能であることを特徴とする、請求項１または請求項２に記載のフィルム用巻取り装置である。
【００１２】
また、請求項４に記載の発明は、
前記サスペンション機構は、前記電気信号のデータを記録することが可能である装置を備えることを特徴とする、請求項３に記載のフィルム用巻取り装置である。
【００１３】
また、請求項５に記載の発明は、
前記サスペンション機構の、振動の減衰の制御は、記録された電気信号のデータに基づくものであることを特徴とする、請求項３または請求項４に記載のフィルム用巻取り装置である。
【発明の効果】
【００１４】
本発発明によれば、フィルムを高速で巻き取ることが可能な、フィルム用巻取り装置において、フィルムの繋ぎ部分が巻き取られる場合においても、タッチローラーが、浮いたり、弾かれたりすることのない、フィルム用巻取り装置を提供することが可能である。
【００１５】
これは、本発明によるフィルム巻取り装置が、タッチローラーの巻取り外側への変位に対して、その衝撃を吸収し、振動を減衰させるサスペンション機構とを備えていることによるものである。
【００１６】
また請求項２に記載の発明によれば、押圧を与える機構は、エアシリンダーと、それに接続するタッチローラー支持アームであることによって、常に一定の圧力の押し圧とすることが可能であり、フィルムロールの形成にとって好ましい。
【００１７】
また請求項３に記載の発明によれば、サスペンション機構は、振動の減衰を電気信号によって制御可能であることによって、より応答が迅速な制御機構とすることができ、瞬間的な衝撃、振動の減衰に適している。
【００１８】
また請求項４に記載の発明によれば、サスペンション機構は、電気信号のデータを記録することが可能である装置を備えることによって、瞬間的な衝撃、振動の減衰のデータを蓄積して、様々な種類のフィルムロールの形成に対応するための、データとすることができる。
【００１９】
また請求項５に記載の発明によれば、サスペンション機構の、振動の減衰の制御は、記録された電気信号のデータに基づくものであることによって、記録された電気信号による衝撃、振動の減衰の自動制御が可能になる。
【図面の簡単な説明】
【００２０】
【図１】図１は本発明に係るフィルム用巻取り装置の、一実施態様の構成を説明するための模式図である。
【図２】図２は本発明に係るフィルム用巻取り装置の一実施態様において、フィルムの繋ぎ部がタッチローラの間隙を通過する瞬間の状態を説明するための模式図である。
【発明を実施するための形態】
【００２１】
以下、本発明を図１および図２を参照しながら、更に詳しい説明を加える。ただし本発明は、ここに示す例にのみ限定されるものではない。本発明は、請求項によって限定されるものである。
【００２２】
図１は本発明に係るフィルム用巻取り装置の、一実施態様の構成を説明するための模式図である。
【００２３】
本発明は、巻芯（３１）に巻き取られて形成されるフィルムロール（７）を、タッチローラー（６）で表面を押圧しながら巻き取るフィルム用巻取り装置（３０）において、タッチローラー（６）に接続され押圧を与える機構（３）と、タッチローラー（６）の巻取り外側への変位が急激に発生した場合に、その衝撃を吸収し、振動を減衰させるサスペンション機構（５）とを備えてなる、フィルム用巻取り装置（３０）である。
【００２４】
図１に示す例において、押圧を与える機構（３）は、エアシリンダー（１３）を用いた例である。エアシリンダー（１３）は、エアーの圧力によって矢印（８）の方向に押圧を発生させることができ、この力は支持アーム（４）によって伝達され、支点（１４）を介して方向を変えられ、タッチローラー（６）をして、矢印（９）の方向に押圧を発生させて、フィルムロール（７）表面を押圧することができる。
【００２５】
フィルム（１）は、図１の斜め左上から供給されているのであって、タッチローラー（６）に巻きついて接触して後、フィルムロール（７）の最外層に巻き取られる。フィルム（１）には、時として繋ぎ部（２）が含まれており、この部分は繋ぎ部（２）におけるフィルム（１）の重なりと、繋ぎ部（２）に用いられる粘着テープなどのために、厚さが厚くなっている。
【００２６】
そのため、繋ぎ部（２）が、タッチローラー（６）とフィルムロール（７）表面との間を高速で通過する際には、タッチローラー（６）はフィルムロール（７）の外側に向かう方向に浮いたり、弾かれたりする場合があって、その瞬間に巻き取ろうとするフィルム（１）間に空気を巻き込むおそれがあり、フィルムロール（７）の蛇行を引き起こす可能性がある。
【００２７】
これに対して本発明は、フィルム用巻取り装置（３０）において、フィルムロール（７）にフィルム（１）の繋ぎ部（２）が巻き取られる場合においても、タッチローラー（６）が、浮いたり、弾かれたりすることのない、巻取り部（２０）およびタッチローラー部（２１）を有する、フィルム用巻取り装置（３０）を提供しようとするものであって、タッチローラー部（２１）には、タッチローラー（６）に接続され押圧を与える機構（３）と、サスペンション機構（５）とを備える。
【００２８】
一般にサスペンション機構（５）は、衝撃を吸収するスプリングの機能、スプリングの振動を減衰するショックアブソーバーの機能から構成される。
【００２９】
一方、巻取りの定常状態においては、タッチローラー（６）がフィルムロール（７）の表面を押圧することにより、フィルム（１）間の脱気をすることができる。脱気することによって、フィルムロール（７）を硬く巻き取ることができ、またフィルムの蛇行を防止することができる。
【００３０】
しかしながら時として、フィルム（１）の繋ぎ部（２）が、タッチローラー（６）とフィルムロール（７）の表面の間を通過する際に、繋ぎ部（２）の厚さが厚くなっていることにより、段差としてタッチローラー（６）が浮いたり、弾かれたりする場合があって、タッチローラー（６）が、フィルムロール（７）外側へ向かっての変位を引き起こすことがある。
【００３１】
これは、フィルム用巻取り装置（３０）が高速で回転する場合に、一層顕著である。本発明においては、その変位に対して、その衝撃を吸収し、振動を減衰させるサスペンション機構（５）を有する、タッチローラー部（２１）を備えることを、特徴のひとつとするものである。
【００３２】
本発明によるフィルム用巻取り装置（３０）は、タッチローラー部（２１）において、衝撃を吸収し、振動を減衰させるサスペンション機構（５）を備えている。あるいはまた、たとえば振動の減衰を制御装置（１５）によって、矢印（１０）で電気的に接続されたサスペンション機構（５）を、電気的に制御可能な方式とすることができる。
【００３３】
また、サスペンション機構は記録装置（１６）に電気的に矢印（１１）で接続され、その変位すなわち振動のデータを記録する方式を採用することもできる。
【００３４】
本発明においては、さらにサスペンション機構（５）による、衝撃の吸収や振動の減衰の制御は、記録装置（１６）に記録された電気信号のデータに基づくものとすることができる。
【００３５】
図２は本発明に係るフィルム用巻取り装置の一実施態様において、フィルムの繋ぎ部がタッチローラの間隙を通過する瞬間の状態を説明するための模式図である。
【００３６】
フィルムの繋ぎ部（２）が、フィルムロール（７）表面とタッチローラ（６）との間隙を通過する瞬間において、繋ぎ部（２）は厚みの変化を伴うため、タッチローラー（６）は矢印（１７）方向に変位する。この変位は、矢印（１８）方向への衝撃、振動となって、サスペンション機構（５）に伝達される。
【００３７】
本発明によるフィルム用巻取り装置（３０）は、タッチローラー部（２１）において、その矢印（１８）方向の衝撃を吸収し、振動を減衰させるサスペンション機構（５）を備えている。
【００３８】
あるいはまた、たとえば振動の減衰を制御装置（１５）によって、矢印（１０）で電気的に接続されたサスペンション機構（５）を、電気的に制御可能な方式とすることができる。
【００３９】
また、サスペンション機構は記録装置（１６）に電気的に矢印（１１）で接続され、その変位すなわち衝撃、振動のデータを記録する方式を採用することもできる。
【００４０】
さらに、このデータにもとづいて衝撃の吸収、振動の減衰を、矢印（１２）で接続された制御装置（１５）によって、電気的に制御可能な方式とすることができる。
【００４１】
このようなデータの記録、すなわち蓄積によって、フィルムロール（７）に巻き取ろうとするフィルム（１）の厚さや幅、機械的性状、のほかフィルムの張力や巻取り速度等の生産条件に対応した、自動制御、最適制御を目指すことが可能になる。
【００４２】
このように本発明によれば、フィルムを高速で巻き取ることが可能な、フィルム用巻取
り装置において、フィルムの繋ぎ部分が巻き取られる場合においても、タッチローラーが、浮いたり、弾かれたりすることのない、フィルム用巻取り装置を提供することが可能である。
【符号の説明】
【００４３】
１・・・フィルム
２・・・繋ぎ部
３・・・押圧を与える機構
４・・・支持アーム
５・・・サスペンション機構
６・・・タッチローラー
７・・・フィルムロール
８・・・矢印
９・・・矢印
１０・・・矢印
１１・・・矢印
１２・・・矢印
１３・・・エアシリンダー
１４・・・支点
１５・・・制御装置
１６・・・記録装置
１７・・・矢印
１８・・・矢印
２０・・・巻取り部
２１・・・タッチローラー部
３０・・・フィルム用巻取り装置
３１・・・巻芯
【図１】
2020029341.tif 000003
【図２】
2020029341.tif 000004